(57)【特許請求の範囲】
【請求項１】
磁気共鳴励起信号の送信および／もしくは磁気共鳴信号の受信が可能であるアンテナ（２）を備えた磁気共鳴装置用コイルにおいて、電磁的励起時にコイル特有のデータ（９〜１３）を送信可能であるトランスポンダ（３）を有することを特徴とする磁気共鳴装置用コイル。
【請求項２】
トランスポンダ（３）が受動トランスポンダ（３）として形成されていることを特徴とする請求項１記載のコイル。
【請求項３】
トランスポンダ（３）がラーモア周波数による励起時にコイル特有のデータ（９〜１３）を送信することを特徴とする請求項１または２記載のコイル。
【請求項４】
トランスポンダ（３）が抗磁性材料から成ることを特徴とする請求項１ないし３の１つに記載のコイル。
【請求項５】
コイル特有のデータ（９〜１３）がコイルの型コード（９）を含むことを特徴とする請求項１ないし４の１つに記載のコイル。
【請求項６】
コイル特有のデータ（９〜１３）がコイルのシリーズ番号（１０）を含むことを特徴とする請求項１ないし５の１つに記載のコイル。
【請求項７】
コイル特有のデータ（９〜１３）がコイルの装置内コード（１１）を含むことを特徴とする請求項１ないし６の１つに記載のコイル。
【請求項８】
コイル特有のデータ（９〜１３）が装置コード（１２）を含むことを特徴とする請求項１ないし７の１つに記載のコイル。
【請求項９】
コイル特有のデータ（９〜１３）が作動特有のデータ（１３）を含むことを特徴とする請求項１ないし８の１つに記載のコイル。
【発明の詳細な説明】
【０００１】
【発明の属する技術分野】
本発明は、磁気共鳴励起信号の送信および／もしくは磁気共鳴信号の受信が可能であるアンテナを備えた磁気共鳴装置用コイルに関する。
【０００２】
【従来の技術】
この種のコイルは公知である。この種のコイルは装置に固定的に取り付けるローカルコイルとしても、取り外し可能なローカルコイルとしても適用される。
【０００３】
この種のコイルの場合、これが磁気共鳴装置に存在していることを把握することが重要である。というのは、コイルのコイルエレメントが磁気共鳴装置の励起領域内に存在している場合、制御信号によって相応の変調を受けなければ、ＨＦ励起領域の局部的上昇により周辺組織の強い負荷が生じる。このため、存在するコイルを相応に作動させるためには、装置内にどのようなコイルが存在するのか、また、どのようなコイルが存在しないのかを把握する必要がある。
【０００４】
従来の技術ではこのためにコイルの存在は接続プラグを通じて把握されている。この場合、従来の技術では、どのようなコイルが磁気共鳴装置内に存在しているかを把握するために接続プラグがコイル側で個別にコード化されている。
【０００５】
従来の技術による措置は、一方では接続されているコイルのみが把握可能であること、他方では接続プラグのコード化可能性の数が限定されることが欠点である。８つの選択的に差込まれるあるいは差込まれない接続ブリッジがある場合、たとえば２５６種のコイル型が区別可能である。
【０００６】
【発明が解決しようとする課題】
本発明の課題は、一方では常に把握可能であり、他方ではコード化の可能性を著しく広げた磁気共鳴装置用コイルを提供することにある。
【０００７】
【課題を解決するための手段】
この課題は、コイルが、電磁的励起時にコイル特有のデータを送信できるトランスポンダを有することにより解決される。
【０００８】
トランスポンダが受動トランスポンダとして形成されている場合、トランスポンダは固有の電源を必要としない。
【０００９】
トランスポンダが、励起コイルの帯域幅内にありかつ磁気共鳴周波数範囲の外にある周波数で励起されるとコイル特有のデータを送信する場合、トランスポンダは磁気共鳴装置によって、コイル特有のデータを送信するために変更することなしに励起可能である。
【００１０】
コイル特有のデータは種々の異なった情報を含むことができる。たとえば、コイルの型コード、コイルのシリーズ番号、コイルの装置内コード、装置コード、作動特有のデータなどが挙げられる。
【００１１】
【発明の実施の形態】
別の利点および詳細について以下の実施例の記述ならびに図面から説明する。この場合、図面は原理図である。
【００１２】
図１によれば、磁気共鳴装置（図示されていない）用のコイル1はアンテナ２を有する。このアンテナ２により、磁気共鳴励起信号の送信および／もしくは磁気共鳴信号の受信が可能である。
【００１３】
コイル１上にはトランスポンダ３が配設されている。トランスポンダ３は特に抗磁性材料から成る。
【００１４】
図２によれば、トランスポンダ３は受信用振動回路４を有する。受信用振動回路４は適正な励起周波数ｆ１によって電磁的に励起可能である。励起周波数ｆ１は原理的に任意に選定可能である。励起周波数ｆ１は特に磁気共鳴装置のラーモア周波数に等しい。励起周波数ｆ１は磁気共鳴装置によって発生可能なその他の周波数でもありうる。磁気共鳴装置のラーモア周波数は磁気共鳴装置の基本磁界を乗じた４２ＭＨｚ／Ｔ（最も適用頻度の高い水素の場合）である。
【００１５】
励起周波数ｆ１による励起時に電流供給装置５内に作動電圧Ｕが生じる。作動電圧Ｕは、たとえば蓄積コンデンサによる相応の緩衝に基づき、励起周波数ｆ１による励起の終了後でもさらにしばらくの間残存する。したがって、マイクロコントローラ６および記憶装置７は、トランスポンダ３が受動トランスポンダとして作成され、固有の電源を有していなくても電磁的励起の終了以後も一定の時間作動可能である。
【００１６】
マイクロコントロ−ラ６は送信用振動回路８を駆動するので、この送信用振動回路８は送信周波数ｆ２で振動する。この場合、マイクロコントローラ６は記憶装置７の内容に応じて（マイクロコントローラ６はこのためにその内容を読み出す）送信用振動回路８の振動を変調する。トランスポンダ３の受信用振動回路４も場合によっては送信用振動回路８として使用可能である。これにより、トランスポンダ３の同時送受信ならびにトランスポンダ３へのエネルギーの充電も可能となる。
【００１７】
図３によれば、記憶装置７は電気的に上書き可能な固定記憶装置（ＥＥＰＲＯＭ）である。この記憶装置にはコイル１の型コード９、コイル１のシリーズ番号１０、コイル１の装置内コード１１、装置コード１２ならびに作動特有のデータ１３が記憶されている。
【００１８】
型コード９はコイル１の種類に特有のものである。たとえば、この型コード９はメーカコードおよび注文番号から成る。シリーズ番号１０は単純に連続番号であり、ある型の各コイル１の区別に役立つ。したがって、型コード９とシリーズ番号１０とを組み合わせることにより、各コイル１をその他のコイルから区別することが可能となる。
【００１９】
装置内コード１１は通常、特定のコイル１に対して磁気共鳴装置内で与えられている番号である。装置コード１２はコイル１が属する磁気共鳴装置のコードである。
【００２０】
作動特有のデータ１３はたとえば、コイル１の製造データ、コイル１の使用年数、コイル１の調節、次の整備の予定日時、コイル１の使用回数などに関するデータである。
【００２１】
本発明によるコイル１を用いれば、磁気共鳴装置と直流電気的に接続されていないコイル１をも簡単に包括的に把握することができる。
【図面の簡単な説明】
【図１】コイルを示す概略図。
【図２】トランスポンダを示す概略図。
【図３】メモリ内容を示す概略図。
【符号の説明】
１        コイル
２        アンテナ
３        トランスポンダ
４、８    振動回路
５        電流供給装置
６        マイクロコントローラ
７        記憶装置
【図１】
0004072006.tif 000002
【図２】
0004072006.tif 000003
【図３】
0004072006.tif 000004